(57)【要約】【課題】  金属材料製の口金に芯保護パイプを圧入する構造の筆記具において、芯の外径に応じて内径及び外径を変化させた芯保護パイプを使用する場合であっても、共通の口金を使用することができるようにした筆記具を提供する。【解決手段】  芯繰出機構２を収納した軸筒１の先端には、金属材料製の口金３が設けられ、芯１５を保持する芯保護パイプ４も金属材料で作られている。この芯保持パイプ４は合成樹脂製の先端ブッシュ５に挿入され、該先端ブッシュ５を介して口金３に固定される。また、この先端ブッシュ５には、芯保持部１７が設けられている。【選択図】図１
2009066960.tif 000002
【特許請求の範囲】
【請求項１】
芯繰出機構を収納した軸筒の先端部に口金を設け、該口金に芯を保護する芯保護パイプを固着した筆記具において、上記口金と上記芯保護パイプは金属材料で構成され、該口金に形成した嵌着孔に合成樹脂材料製の先端ブッシュを嵌着し、該先端ブッシュに上記芯保護パイプを圧入して固定したことを特徴とする筆記具。
【請求項２】
上記先端ブッシュには、芯を摩擦的に保持する芯保持部が形成されている請求項１に記載の筆記具。
【請求項３】
上記先端ブッシュには、上記嵌着孔に挿入した際に上記口金の先端及び該口金の内方段部に係合する係合片が形成されている請求項１または２に記載の筆記具。
【発明の詳細な説明】
【技術分野】
【０００１】
本発明は、ノック式シャープペンシル、サイドノック式シャープペンシル、自動繰出式シャープペンシルその他鉛芯を繰り出して使用する筆記具に関する。
【背景技術】
【０００２】
従来の筆記具は、例えば図６に示すように、軸筒３１の内部にノック式等の芯繰出機構３２を収納し、ノック操作により前方に繰り出された芯３３をゴム材料等で作成された芯保持部材（ブレーカー）３４で摩擦的に保持し、順次繰り出された芯を口金３５の先端の芯保護パイプ３６で保護してその先端から突出させるよう構成されている。この芯保護パイプは、芯の外径に応じて内径の相違するパイプが用意され、このパイプを上記口金の先端に圧入している。該圧入に際し、上記口金が合成樹脂材料で作られている場合には、芯保護パイプの外径が多少相違していても、圧入が可能であり、またインサート成形等により対応することも可能であるが、上記口金と上記芯保護パイプを金属材料で作る場合には、外径の相違する芯保護パイプに応じて上記口金に形成する嵌着孔の内径も変更する必要があった。そのため、複数種の口金を用意しなければならず、口金を共通化することができないので、経済的ではなかった。また、極細の芯の場合には、上記口金に形成する嵌着孔を極めて小さい内径、例えば内径約１．００ｍｍ以下に形成しなければならず、加工も非常に面倒であった。そのような問題を解決するため、芯保護パイプを形状記憶合金で形成し、これを上記嵌着孔に嵌着してから復元させて固定する方法が提案されているが（例えば、特許文献１参照）、このような方法では、特殊な材料を用いたり、熱処理をしなければならないから、経済的ではない。
【特許文献１】特開昭６２−１９９４９５（特許請求の範囲、従来技術の欄、問題を解決するための手段の欄）
【発明の開示】
【発明が解決しようとする課題】
【０００３】
本発明が解決しようとする課題は、上記のように口金と芯保護パイプを金属材料で形成した芯繰出式の筆記具において、該口金を共通化することができ、経済的で、加工性に優れた筆記具を提供することである。さらに、芯繰出機構から繰り出された芯を摩擦的に保持する芯保持部材を簡単に組み込むことことができるようにした上記筆記具を提供することである。
【課題を解決するための手段】
【０００４】
本発明によれば、芯繰出機構を収納した軸筒の先端部に口金を設け、該口金に芯を保護する芯保護パイプを固着した筆記具において、上記口金と上記芯保護パイプは金属材料で構成され、該口金に形成した嵌着孔に合成樹脂材料製の先端ブッシュを嵌着し、該先端ブッシュに上記芯保護パイプを圧入して固定したことを特徴とする筆記具が提供され、上記課題が解決される。
【０００５】
また、本発明によれば、上記先端ブッシュには、芯を摩擦的に保持する芯保持部が形成され、上記嵌着孔に挿入した際に上記口金の先端及び該口金の内方段部に係合する係合片が形成された上記筆記具が提供され、上記課題が解決される。
【発明の効果】
【０００６】
本発明は、上記のように構成され、金属材料製の口金と芯保護パイプを有する筆記具において、該口金に形成した嵌着孔に合成樹脂製の先端ブッシュを嵌着し、該先端ブッシュに金属材料製の上記芯保護パイプを圧入して固定するようにしたので、該芯保護パイプの外径が変化しても先端ブッシュの内径を変化させるだけで該先端ブッシュの外径は同一のままでよく、上記口金としては芯径にかかわらず共通の嵌着孔を有する口金を使用することができるから経済的である。また、上記先端ブッシュの外径は、上記芯保護パイプの外径よりも太いから、上記口金に形成する嵌着孔の内径をある程度太くすることができ、加工性が著しく向上する。
【０００７】
また、上記先端ブッシュを製造する際、該先端ブッシュに上記芯繰出機構の芯保持部を形成すれば、構成部品が減り、その上製造工程も簡単になるので、非常に経済的である。さらに、上記先端ブッシュに係合片を設け、上記口金の先端部と内方段部に係合するようにすれば、該先端ブッシュは上記口金内の定位置に確実に固定され、移動しないから、芯の繰出も安定する。
【発明を実施するための最良の形態】
【０００８】
本発明は、種々の芯繰出機構を有する筆記具に適用することができるが、図１には本発明をノック式の芯繰出機構を備えたシャープペンシルに適用した実施例が示されている。図に示すように、軸筒１の内部には、チャックやクラッチを有する芯繰出機構２が収納され、該軸筒１の先端には口金３が設けられている。該口金３と芯保護パイプ４は、ステンレスパイプ等の金属材料で構成され、下記するように、合成樹脂材料製の先端ブッシュ５を介して口金３に芯保護パイプ４が固定されている。
【０００９】
図２に示すように、金属材料製の口金３には嵌着孔６が形成され、先端部に当接面７が設けられ、内方に内方段部８が形成されている。図において、この内方段部８の前方には、該前方に向かって傾斜する案内面９が設けられている。上記先端ブッシュ５は、硬質または軟質の合成樹脂材料で作られ、前方には上記口金３に装着した際上記当接面７に係合する前方係合片１０が形成され、後方には上記内方段部８に係合する内方係合片１１が設けられ、該内方係合片１１の後端には、後方に向かって緩やかに傾斜する傾斜面１２が形成されている。該先端ブッシュ５は、前部に上記芯保護パイプ４を固着するための挿通孔１３が設けられ、中間部１４は芯１５の外径より太く形成されている。図に示す実施例において、該先端ブッシュ５の後部には、傾斜面１６を有し芯１５を摩擦的に保持する芯保持部１７が設けられている。従来のいわゆるブレーカーゴム（図５参照）で該芯保持部１７を形成する場合には、該先端ブッシュ５の全体を適宜の有弾性プラスチック材料で作ったり、芯保持部だけを二色成形またはインサート成形の要領により有弾性プラスチック材料で作ることができる。なお、上記芯保持部は、図３に示すように、合成樹脂製の先端ブッシュ４１の後端に取付孔４２を設け、該取付孔４２にゴム材料等で別体に形成した芯保持部材４３を装着固定してもよいし、いわゆるブレーカーレスタイプの芯保持部のような構造に形成することもできる。
【００１０】
上記口金３の嵌着孔６の先端から上記先端ブッシュ５を挿入すると、該先端ブッシュ５の傾斜面１２は該口金３の案内面９に摺接しながら上記内方段部８の下に潜り込むようにして進行し、該内方段部８に内方係合片１１が係合する。それと同時に、上記当接面７に上記前方係合片１０が係合し、先端ブッシュ５は、口金３に確実に固定される。上記芯保護パイプ４は、先端ブッシュ５の挿通孔１３に予め圧入しておけばよい。芯径に応じて外径の異なる芯保護パイプを先端ブッシュに装着する場合には、上記挿通孔１３の内径を変更するだけでよく、上記口金３の嵌着孔６は変更する必要がなく、同じ口金を用いればよい。
【００１１】
図４は、スリットを設けて弾性的に芯を保持するようにしたいわゆるブレーカーレスタイプの芯保持部１８を形成した実施例を示し、合成樹脂材料製の先端ブッシュ１９の後部にスリット２０と、金属材料で作られた口金２１の内方段部２２に係合可能な係合爪２３を設け、中間部に嵌着孔２４に弾性的に内接するよう微小突起２５を突設してある。このような構成にすれば、金属材料で作られた芯保護パイプ２６を上記実施例とほぼ同様に先端ブッシュ１９に取り付け、この先端ブッシュ１９を、口金２１に形成された嵌着孔２４の先端から挿入すると、上記スリット２０が内方に撓みながら進行し、前方係合片２７が口金２１の当接面２８に係合したとき、上記係合爪２３が口金２１の上記内方段部２２に係合し、該先端ブッシュ１９は該口金２１に確実に固定される（図５）。この状態において上記スリット２０は開口状態に復元しているから、公知のように芯繰出機構により繰り出されてきた芯を弾性的に挟持することができる。この場合も、芯保護パイプ２６の外径に応じて上記先端ブッシュ１９の上記挿通孔の内径を変更すれば、同じ口金を用いることができる。
【図面の簡単な説明】
【００１２】
【図１】本発明の一実施例を示す断面図である。
【図２】図１の一部の拡大説明図である。
【図３】他の実施例を示す説明図である。
【図４】他の実施例を示す説明図である。
【図５】図４に示す口金の断面図である。
【図６】従来の筆記具の口金部分の一例を示す断面図である。
【符号の説明】
【００１３】
１  軸筒
２  芯繰出機構
３、２１  口金
４、２６  芯保護パイプ
５、１９、４１  先端ブッシュ
６、２４  嵌着孔
１７、１８  芯保持部
【図１】
2009066960.tif 000003
【図２】
2009066960.tif 000004
【図３】
2009066960.tif 000005
【図４】
2009066960.tif 000006
【図５】
2009066960.tif 000007
【図６】
2009066960.tif 000008